【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
電源からの電力の供給と遮断を制御する電力供給制御回路であって、
各々が所定の処理機能を有する複数の機能ブロックからの電力遮断要求信号を受け取る要求受取部と、
前記複数の機能ブロックに対する前記電源からの電力の供給と遮断を切り替える切り替え部と、
前記要求受取部が受け取った電力遮断要求信号に基づいて前記切り替え部を制御する制御部を備え、
前記制御部は、前記要求受取部で受け取られた電力遮断要求信号に基づいて電力遮断の開始と終了を許可する電力遮断許可部を備え、
前記電力遮断許可部は、前記複数の機能ブロックの内、前記電力遮断要求信号を出力している機能ブロックと処理依存関係にある他の機能ブロックからの電力遮断要求信号に基づいて電力遮断の開始を許可する、電力供給制御回路。
【請求項２】
前記電力遮断要求信号は、前記複数の機能ブロックの少なくとも一つが出力する処理終了信号である請求項１記載の電力供給制御回路。
【請求項３】
前記電力遮断要求信号は、前記複数の機能ブロックの少なくとも一つが出力する一定時間毎の通知信号である請求項１記載の電力供給制御回路。
【請求項４】
前記電力遮断要求信号は、電力遮断から電力供給までの時間情報を含んでいる請求項１記載の電力供給制御回路。
【請求項５】
前記電力遮断許可部は、前記要求受取部が前記複数の機能ブロックのいずれかからの電力遮断要求信号を受け取った場合に、前記複数の機能ブロックの内、前記電力遮断要求信号を出力している機能ブロックと処理依存関係にある他の機能ブロックからの電力遮断要求信号の有無に基づいて電力遮断の開始と終了を許可する請求項１記載の電力供給制御回路。
【請求項６】
前記電力遮断許可部は、前記複数の機能ブロックの内、前記処理依存関係にある全ての機能ブロックからの電力遮断要求信号を受け取った場合に、電力遮断の開始を許可する請求項１記載の電力供給制御回路。
【請求項７】
前記電力遮断許可部は、前記処理依存関係の情報を格納する情報格納部を備える請求項１記載の電力供給制御回路。
【請求項８】
前記情報格納部は、外部要因により書き換え可能である請求項７記載の電力供給制御回路。
【請求項９】
前記電力遮断許可部は、前記電力遮断要求信号の受取時から一定時間を計測する遮断時間計測部を備え、前記一定時間経過後に電力遮断の開始を許可する請求項１記載の電力供給制御回路。
【請求項１０】
前記電力遮断許可部は、電力遮断の開始時から一定時間を計測する復帰時間計測部を備え、前記一定時間経過後に電力遮断の終了を許可する請求項１記載の電力供給制御回路。
【請求項１１】
所定の処理機能を有する複数の機能ブロックと、
前記複数の機能ブロックからの電力遮断要求信号を受け取る要求受取部と、
前記複数の機能ブロックに対する前記電源からの電力の供給と遮断を切り替える切り替え部と、
前記要求受取部が受け取った電力遮断要求信号に基づいて前記切り替え部を制御する制御部を備え、
前記制御部は、前記要求受取部で受け取られた電力遮断要求信号に基づいて電力遮断の開始と終了を許可する電力遮断許可部を備え、
前記電力遮断許可部は、前記複数の機能ブロックの内、前記電力遮断要求信号を出力している機能ブロックと処理依存関係にある他の機能ブロックからの電力遮断要求信号に基づいて電力遮断の開始を許可する、電子回路。
【請求項１２】
前記電子回路は前記複数の機能ブロックの出力信号の論理値を固定する出力値固定部を備え、前記出力値固定部は、前記複数の機能ブロックの内、電力遮断される機能ブロックの出力信号の論理値を固定する請求項１１記載の電子回路。
【請求項１３】
前記出力値固定部に含まれる電子素子の動作電圧が、前記機能ブロックに含まれる電子素子の動作電圧よりも低い請求項１２記載の電子回路。
【請求項１４】
前記出力値固定部に含まれる電子素子の閾値電圧が、前記機能ブロックに含まれる電子素子の閾値電圧よりも低い請求項１２記載の電子回路。
【請求項１５】
所定の処理機能を有する複数の機能ブロックと、
前記複数の機能ブロックからの電力遮断要求信号を受け取る要求受取部と、
前記複数の機能ブロックに対する前記電源からの電力の供給と遮断を切り替える切り替え部と、
前記要求受取部が受け取った電力遮断要求信号に基づいて前記切り替え部を制御する制御部と、
前記複数の機能ブロックの前記処理機能を制御する中央処理部と、
筐体を備え、
前記制御部は、前記要求受取部で受け取られた電力遮断要求信号に基づいて電力遮断の開始と終了を許可する電力遮断許可部を備え、
前記電力遮断許可部は、前記複数の機能ブロックの内、前記電力遮断要求信号を出力している機能ブロックと処理依存関係にある他の機能ブロックからの電力遮断要求信号に基づいて電力遮断の開始を許可する、電子機器。
【請求項１６】
前記電子機器は、携帯端末である請求項１５記載の電子機器。
【請求項１７】
前記電子機器は、ノートブックパソコンである請求項１５記載の電子機器。
【手続補正２】
【補正対象書類名】明細書
【補正対象項目名】００１８
【補正方法】変更
【補正の内容】
【００１８】
第１の発明に係る電力供給制御回路は、電源からの電力の供給と遮断を制御する電力供給制御回路であって、各々が所定の処理機能を有する複数の機能ブロックからの電力遮断要求信号を受け取る要求受取部と、複数の機能ブロックに対する電源からの電力の供給と遮断を切り替える切り替え部と、要求受取部が受け取った電力遮断要求信号に基づいて切り替え部を制御する制御部を備え、制御部は、要求受取部で受け取られた電力遮断要求信号に基づいて電力遮断の開始と終了を許可する電力遮断許可部を備え、電力遮断許可部は、複数の機能ブロックの内、電力遮断要求信号を出力している機能ブロックと処理依存関係にある他の機能ブロックからの電力遮断要求信号に基づいて電力遮断の開始を許可する。
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】変更
【補正の内容】
【００２８】
第５の発明に係る電力供給制御回路では、電力遮断許可部は、要求受取部が複数の機能ブロックのいずれかからの電力遮断要求信号を受け取った場合に、複数の機能ブロックの内、電力遮断要求信号を出力している機能ブロックと処理依存関係にある他の機能ブロックからの電力遮断要求信号の有無に基づいて電力遮断の開始と終了を許可する。
【手続補正６】
【補正対象書類名】明細書
【補正対象項目名】００３０
【補正方法】変更
【補正の内容】
【００３０】
第６の発明に係る電力供給制御回路では、電力遮断許可部は、複数の機能ブロックの内、処理依存関係にある全ての機能ブロックからの電力遮断要求信号を受け取った場合に、電力遮断の開始を許可する。
【手続補正７】
【補正対象書類名】明細書
【補正対象項目名】００３２
【補正方法】変更
【補正の内容】
【００３２】
第７の発明に係る電力供給制御回路では、電力遮断許可部は、処理依存関係の情報を格納する情報格納部を備える。
【手続補正８】
【補正対象書類名】明細書
【補正対象項目名】００３３
【補正方法】変更
【補正の内容】
【００３３】
第８の発明に係る電力供給制御回路では、情報格納部は、外部要因により書き換え可能である。
【手続補正９】
【補正対象書類名】明細書
【補正対象項目名】００３５
【補正方法】変更
【補正の内容】
【００３５】
第９の発明に係る電力供給制御回路では、電力遮断許可部は、電力遮断要求信号の受取時から一定時間を計測する遮断時間計測部を備え、一定時間経過後に電力遮断の開始を許可する。
【手続補正１０】
【補正対象書類名】明細書
【補正対象項目名】００３７
【補正方法】変更
【補正の内容】
【００３７】
第１０の発明に係る電力供給制御回路では、電力遮断許可部は、電力遮断の開始時から一定時間を計測する復帰時間計測部を備え、一定時間経過後に電力遮断の終了を許可する。
【手続補正１１】
【補正対象書類名】明細書
【補正対象項目名】００３９
【補正方法】変更
【補正の内容】
【００３９】
第１１の発明に係る電子回路は、所定の処理機能を有する複数の機能ブロックと、複数の機能ブロックからの電力遮断要求信号を受け取る要求受取部と、複数の機能ブロックに対する電源からの電力の供給と遮断を切り替える切り替え部と、要求受取部が受け取った電力遮断要求信号に基づいて切り替え部を制御する制御部を備え、制御部は、要求受取部で受け取られた電力遮断要求信号に基づいて電力遮断の開始と終了を許可する電力遮断許可部を備え、電力遮断許可部は、複数の機能ブロックの内、電力遮断要求信号を出力している機能ブロックと処理依存関係にある他の機能ブロックからの電力遮断要求信号に基づいて電力遮断の開始を許可する。
【手続補正１２】
【補正対象書類名】明細書
【補正対象項目名】００４０
【補正方法】削除
【補正の内容】
【手続補正１３】
【補正対象書類名】明細書
【補正対象項目名】００４２
【補正方法】変更
【補正の内容】
【００４２】
第１２の発明に係る電子回路は、複数の機能ブロックの出力信号の論理値を固定する出力値固定部を備え、出力値固定部は、複数の機能ブロックの内、電力遮断される機能ブロックの出力信号の論理値を固定する。
【手続補正１４】
【補正対象書類名】明細書
【補正対象項目名】００４４
【補正方法】変更
【補正の内容】
【００４４】
第１３の発明に係る電子回路では、出力値固定部に含まれる電子素子の動作電圧が、機能ブロックに含まれる電子素子の動作電圧よりも低い。
【手続補正１５】
【補正対象書類名】明細書
【補正対象項目名】００４６
【補正方法】変更
【補正の内容】
【００４６】
第１４の発明に係る電子回路では、出力値固定部に含まれる電子素子の閾値電圧が、機能ブロックに含まれる電子素子の閾値電圧よりも低い。